【事件の表示】
　上記当事者間の特許第４０５９７０５号発明「家庭用の豆乳、水豆腐、豆腐製造装置の水切れ感知警報装置」の特許無効審判事件について、次のとおり審決する。
【結　論】
　特許第４０５９７０５号の請求項１に係る発明についての特許を無効とする。
　審判費用は、被請求人の負担とする。
【理　由】
第１　手続の経緯  
　本件特許第４０５９７０５号に係る出願は，２００２年５月１０日（優先権主張２００２年１月３０日　韓国）の出願であって，平成１９年１２月２８日にその特許権の設定登録がされた。 
　これに対し，平成２８年４月１１日に請求人より本件無効審判が請求され，審判請求書の副本を被請求人に送達し，期間を指定して，答弁書を提出する機会を与えたが，被請求人からは，答弁書の提出はなされなかった。また，平成２９年６月１５日付けで，審決の予告を行い，期間を指定して，訂正を請求するための機会を与えたが，被請求人からの応答はなされなかった。  
第２　本件特許発明 
　本件特許第４０５９７０５号の請求項１に係る発明（以下「本件発明」という。）は，特許明細書，特許請求の範囲及び図面の記載からみて，その特許請求の範囲の請求項１に記載された次のとおりのものである。 
  
　「【請求項１】上部に蓋が設けられた本体と，前記蓋の内部に設置されており，電源が印加されると回転動力を発生させる駆動モータと，前記駆動モータの回転動力を伝達するための短駆動軸3と，前記短駆動軸の端部に連結されている粉砕刃と，漉し網と，ラウンドバー8と，前記胴体の内容物を加熱するヒータ6と，前記本体の内周に設けられた内筒と 
を含んでなる家庭用の豆乳，水豆腐，豆腐製造装置において， 
　前記本体内の構成部品中から選択された2つのそれぞれに接続される接地電極E1及び信号電極E2と， 
　前記信号電極E2に接続された第１の抵抗R24および第１のスイッチングトランジスタQ9と， 
　前記第１のスイッチングトランジスタQ9に接続されており，該スイッチングトランジスタQ9によって前記本体内に必要とされる水がないことを感知した場合，これを警報するための制御信号を出力するコントローラI.C1と， 
　前記コントローラI.C1に接続された第２の抵抗R21および第２のスイッチングトランジスタQ5と， 
　前記第２のスイッチングトランジスタQ5に接続され，該スイッチングトランジスタQ5の駆動により警報音を出力するブザーBUZと 
を含み， 
　前記接地電極E1および前記信号電極E2のいずれか一方が前記ヒータ6に電気的に接続され， 
　前記接地電極E1および前記信号電極E2のいずれか他方が，前記短駆動軸3，前記漉し網，前記内筒および前記ラウンドバー8のうちのいずれか１つの構成部品に電気的に接続され， 
　前記第１の抵抗R24および前記第１のスイッチングトランジスタQ9は，前記信号電極E2を介して入力された信号を，前記コントローラI.C1に送り，該コントローラI.C1は前記第２の抵抗R21および前記第２のスイッチングトランジスタQ5を使用して前記ブザーBUZを動作させる 
ことを特徴とする家庭用の豆乳，水豆腐，豆腐製造装置の水切れ感知警報装置。」 
  
第３　請求人の主張及び証拠方法 
　請求人は，「特許第４０５９７０５号発明の特許請求の範囲の請求項第１項に記載された発明についての特許を無効とする。審判費用は被請求人の負担とする」との審決を求め，無効理由の概要は以下のとおりであると主張している。 
  
無効理由１（明確性要件違反)  
　特許請求の範囲に規定される「ラウンドバー」は，どのような物を指すのか，どのような機能を有するのか，明細書及び図面の記載並びに出願時の技術常識を考慮しても，その技術的意味を理解することができない。したがって，特許請求の範囲の記載において特許を受けようとする発明が明確でないので，特許法第３６条第６項第２号に規定する要件を満たしておらず，その特許は同法第１２３条第１項第４号に該当し，無効とすべきである。 
  
無効理由２（進歩性欠如） 
（１）　本件発明は，その特許出願前に日本国内又は外国において，頒布された刊行物である甲第１号証に記載された発明，甲第２号証及び甲第４号証に記載された事項，又は，甲第１号証に記載された発明，甲第６号証及び甲第４号証に記載された事項に基づき当業者が容易に発明をすることができたものであるから，特許法第２９条第２項の規定により特許を受けることができないものであり，その特許は同法第１２３条第１項第２号に該当し，無効とすべきである。  
（２）　本件発明は，甲第５号証に記載された発明，甲第２号証，甲第４号証及び甲第３号証に記載された事項，又は，甲第５号証に記載された発明，甲第６号証，甲第４号証及び甲第３号証に記載された事項，又は，甲第５号証に記載された発明，甲第２号証，甲第４号証及び甲第１号証に記載された事項，又は，甲第５号証に記載された発明，甲第６号証，甲第４号証及び甲第１号証に記載された事項に基づき当業者が容易に発明をすることができたものであるから，特許法第２９条第２項の規定により特許を受けることができないものであり，その特許は同法第１２３条第１項第２号に該当し，無効とすべきである。　 
  
　また，請求人は，証拠方法として，以下の甲第１号証〜甲第６号証の２を提出している。 
  
［証拠方法］ 
甲第１号証：中国実用新案第２４３２８７１号明細書 
甲第１号証の２：甲第１号証の訳文 
甲第２号証：中国特許出願公開第１０５９６４３号明細書 
甲第２号証の２：甲第２号証の訳文 
甲第３号証：中国実用新案第２１０７７９２号明細書 
甲第３号証の２：甲第３号証の訳文 
甲第４号証：中国実用新案第２２４０３２５号明細書 
甲第４号証の２：甲第４号証の訳文 
甲第５号証：中国実用新案第２４０６５９４号明細書 
甲第５号証の２：甲第５号証の訳文 
甲第６号証：中国実用新案第２１３５９９２号明細書 
甲第６号証の２：甲第６号証の訳文 
  
第４　甲各号証の記載事項 
　甲第１号証，甲第２号証，甲第３号証，甲第４号証，甲第５号証及び甲第６号証には，以下の各事項が記載されている。 
  
[甲第１号証］ 
（１ａ）　「
」（第１ページ） 
（和訳：【要約】 
　本実用新案には家庭用の自動豆乳製造機が開示されており，現在の自動豆乳製造機が複数のセンサが設けられるため，洗浄が困難になり，構成が複雑になるという問題を解決した。その技術的特徴は，ベース４の下でモータ１５付近に，センサベース２０と，胴体２１と，センサベースねじ山に被せられている絶縁ワッシヤ部品１９と，ナット１７と，胴体２１の間に取り付けられるサーミスタ２２で構成される複合センサ８が取り付けられることにある。伝動軸６を水位検出プローブとし，センサの設計を簡単にした。構成が簡単であり，洗浄が便利で，信頼性が高いというメリットを有し，同じタイプの豆乳製造機のモデルチェンジ商品として良い。」 
  
（１ｂ）　「
」（第２ページ） 
（和訳：【実用新案登録請求の範囲】 
　１．
複合センサを備えるスマート自動豆乳製造機において，ベース（４）と，フィルタカバーベース（５）と，モータ（１５）と，伝動軸（６）及び粉砕刃（７）と，ブラケット（１０）付きのフィルタカバー（９）と，電熱管（１６）と，回路基板（３）と，電源変圧器（１４）と，ベース（４）と一緒に固定し，握り（１），放熱孔（１２），コンセント（１３）を有するハウジング（２）と，ハウジング（２）と一体に係合できる容器体（１１）とからなり，ベース（４）の下でモータ（１５）付近に複合センサ（８）が取り付けられる
　２．
請求項１に記載の複合センサを備えるスマート豆乳製造機において，複合センサ（８）はねじ山を有するセンサベース（２０）と，センサペース（２０）と一体に接続する胴体（２１）からなり，ナット（１７）でそれをベース（４）に取り付けて固定し，胴体（２１）の内壁に絶縁層（２３）があり，胴体（２１）の間にサーミスタ（２２）が取り付けられ，サーミスタ引出線（２４）と接続し，胴体（２１）から引出し，センサベース（２０）のねじ山部の間から引出し，ナット（１７）と胴体（２１）との間にケース引出線（１８）が設けられる
　３．請求項１に記載の複合センサを備えるスマート豆乳製造機において，複合センサ（８）は外形が円柱形であり，長さが２０〜３０ミリメートル，直径が４〜８ミリメートルである，ことを特徴とする。 
　４．
請求項１に記載の複合センサを備えるスマート自動豆乳製造機において，伝動軸（６）はハウジングと絶縁的に接続され，回路基板３のＳ端に接続されて，直流通路を形成し，水位検出プローブを形成する
  
（１ｃ）　「
」（第３ページ〜４ページ） 
（和訳：複合センサを備えるスマート豆乳製造機 
　本実用新案は家庭用の自動豆乳製造機が開示し，小型家電の製造技術分野に属する。 
　現在，市場で流行っている家庭用のスマート自動豆乳製造機は質，口当たりが一致する豆乳が加工でき，電気加熱管にスケールが付着することがない。それは温度，水位，吹き零れ等の複数のセンサを使用しており，電子的な自動スマート制御回路を通じて豆乳加工の全過程を完成させる。短所は複数のセンサが設けられるため，洗浄が困難になり，構成の複雑度が高まるということである。 
　本実用新案はスマート自動豆乳製造機に関する複数のセンサを備える設計方案を簡単にし，複合センサを備えるスマート自動豆乳製造機を提供することを目的とする。 
　本実用新案の技術的特徴は，サーミスタを内装し，金属ケースと絶縁的に取り付けられる温度センサを使用しており，金属ケースを吹き零れプローブとし，センサの設計を簡単にした。 
　以下，明細書の添付図面を参照しながら，本実用新案の具体的な構成を詳しく紹介する。複合センサを備えるスマート自動豆乳製造機であって，ベース４と，フィルタカバーベース５と，モータ１５と，伝動軸６及び粉砕刃７と，ブラケット１０付きのフィルタカバー９と，電熱管１６と，回路基板３と，電源変圧器１４と，ベース４と一緒に固定され，握り１，放熱孔１２，コンセント１３を有するハウジング２と，ハウジング２と一体的に係合できる容器体１１とからなり，ベース４の下でモータ１５付近に複合センサ８が取り付けられる，ことを特徴とする。 
　複合センサ８はねじ山を有するセンサペース２０と，センサベース２０と一体的に接続する胴体２１からなり，ナット１７でそれをベース４に取り付けて固定し，胴体２１の内壁に絶縁層２３があり，胴体２１の間にサーミスタ２２が取り付けられ，サーミスタ引出線２４と接続し，胴体２１から引出し，センサベース２０のねじ山部の間から引出し，ナット１７と胴体２１との間にケース引出線１８が設けられる。 
　複合センサ８が作動時，ケース引出線１８が回路中の吹き零れセンサ入力端Ｙ端と接続し，吹き零れ信号入力回路になる。
サーミスタ２２は図３のＲＴであり，電熱管１６ケースは共通アース端である
　本実用新案のメリットは，スマート豆乳製造機における当初の複数のセンサ設計を簡単にし，構成がコンパクトになり，メンテナンス洗浄が便利になる。豆乳製造機の制御信頼性の向上には顕著な作用を有する。同じタイプの家庭用のスマー卜自動豆乳製造機のモデルチェンジ商品として良い。 
　明細書の図１は本実用新案の概略構成を示す図である。ここで，１握り，２ハウジング，３回路基板，４ベース，５フィルタカバーベース，６伝動軸，７粉砕刃，８複合センサ，９フィルタカバー，１０ブラケット，１１容器体，１２放熱孔，１３コンセント，１４電源変圧器，１５モータ，１６電熱管である。 
　明細書の図２は本実用新案における複合センサ８の構成を示す図である。ここで，１７ナット，１８ケース引線，１９絶縁ワッシヤ部品，２０センサベース，２１胴体，２２サーミスタ，２３絶縁層，２４サーミスタ引出線である。 
　明細書の図３は本実用新案の
回路基板３の回路図である。ここで，ＤＪはモータであり，ＤＹは電熱管であり，ＲＴは温度センサであり，Ｓ端は水位検出入力端であり，Ｙ端は吹き零れセンサ入力端である
　本実用新案の一つの実施例において，
伝動軸６はハウジングと絶縁的に接続して，水位検出プローブを形成し，回路基板３のＳ端に接続し，直流通路を形成し，共通アース端と水位検出入力回路を形成する。水位検出センサの設置を省略でき，豆乳製造機のセンサ設計を最大限に簡単にできる
　本実用新案の他の実施例において，ベース４は金属材料であり，胴体２１とベース４が絶縁になるように，複合センサ８のセンサペース２０ねじ山に絶縁ワッシヤ部品１９を被せてもよい。） 
  
（１ｄ）　「
」（第５ページ） 
  
（１ｅ）　「
」（第６ページ） 
  
（１ｆ）　「
」（第７ページ） 
  
　以上の記載事項，図面及び図面中の回路記号を総合すると，豆乳製造機における，複合センサなど種々のセンサを用いた「複合検出装置」の発明が認識できるところ，甲第１号証には，以下の発明（以下「甲１発明」ともいう。）が記載されている。 
  
「ベース（４）と，フィルタカバーベース（５）と，モータＤＪ（１５）と，伝動軸（６）及び粉砕刃（７）と，ブラケット（１０）付きのフィルタカバー（９）と，電熱管ＤＹ（１６）と，回路基板（３）と，電源変圧器（１４）と，ベース（４）と一緒に固定し，握り（１），放熱孔（１２），コンセント（１３）を有するハウジング（２）と，ハウジング（２）と一体に係合できる容器体（１１）とからなり，ベース（４）の下でモータ（１５）付近に複合センサ（８）が取り付けられるスマート自動豆乳製造機の複合検出装置であって，前記複合センサ（８）はねじ山を有するセンサベース（２０）と，センサベース（２０）と一体に接続する胴体（２１）とからなり，ナット（１７）でそれをベース（４）に取り付けて固定し，胴体（２１）の内壁に絶縁層（２３）があり，胴体（２１）の間にサーミスタＲＴ（２２）が取り付けられ，サーミスタ引出線（２４）と接続し，胴体（２１）から引出し，センサベース（２０）のねじ山部の間から引出し，ナット（１７）と胴体（２１）との間にケース引出線（１８）が設けられ， 
電熱管（１６）ケースは共通アース端であり， 
回路基板（３）のＳ端は水位検出入力端であり，回路基板（３）のＹ端は吹き零れセンサ入力端であり， 
伝動軸（６）はハウジング（２）と絶縁的に接続して水位検出プローブを形成し，回路基板（３）のＳ端に接続し，直流通路を形成し，共通アース端と水位検出入力回路を形成し，水位検出センサの設置を省略でき，豆乳製造機のセンサ設計を最大限に簡単にできる， 
スマート自動豆乳製造機の複合検出装置。」 
  
［甲第２号証］ 
（２ａ）　「
」（第１ページ）　  
（和訳：【要約】 
　豆乳製造機であって，筒体，粉砕分離装置，加熱装置，位置限定センサ２を有する水位制御装置を備えており，前記豆乳製造機は安全を保障するための最低水位制御装置を更に備え，該制御装置はまた前記筒体下部筒壁Ｅに取り付けられたセンサ１を有し，前記筒体の底部にはセンシングプレートＢが設置される。豆乳の水位がセンサ１の位置より低い場合，豆乳製造機は自動停止保護機能を有し，豆乳が吹きこぼれる又は焦げる現象が発生することを避けることができる。）　  
 　  
（２ｂ）　「
」（第２ページ）　  
（和訳：【特許請求の範囲】 
１．豆乳製造機であって，筒体，粉砕分離装置，加熱装置，位置限定センサ２を有する水位制御装置を備えており，前記豆乳製造機は安全を保障するための最低水位制御装置を更に備え，該制御装置はまた前記筒体下部筒壁Ｅに取り付けられたセンサ１を有し，前記筒体の底部にはセンシングプレートＢが設置される，とを特徴とする豆乳製造機。 
２．請求項１に記載の豆乳製造機であって，前記水位制御装置及び前記最低水位制御装置の制御回路はコマンド回路３，コマンド回路４，センサ１と２及びセンシングプレートＢで構成され，センサ１はセンシングプレートＢとコマンド回路４で形成された回路を通じて常閉状態の継電器Ｊ１を制御し，センサ２はセンジンクプレートＢとコマンド回路３で形成された回路を通じて常開状態の継電器Ｊ２を制御し，前記加熱装置は継電器Ｊ１とＪ２を通じて電源と接続する，ことを更なる特徴とする豆乳製造機。 
３．請求項１又は請求項２に記載の豆乳製造機であって，前記筒体はホリガーボネート製で，前記継電器Ｊ１とＪ２は銀酸化カドミウムを接点とする継電器である，ことを更なる特徴とする豆乳製造機。） 
 　  
（２ｃ）　「
」（第５ページ〜６ページ） 
（和訳：本考案の原理及びメリットを更に説明するために，以下では，図面とあわせて本考案の実施例を詳細に説明する。 
　図面の説明 
　図１は，本考案の豆乳製造機の構造説明図である。 
　図２は，本考案の豆乳製造機の水位制御部分のブロック図である。 
　図３は，本考案の豆乳製造機の水位制御回路の原理説明図である。 
　本考案の豆乳製造機は図１に示すように，６は粉砕分離装置で，７は筒体である。センサ１は筒体７の筒壁の最低水位制御位置Ｅ部に設置され，センサ２は筒体７の筒壁の最高水位制御位置に設置され，センシングプレートＢは筒体７の底部に設置され，電気部品全ては筒体７の下部に設置される。本考案の豆乳製造機の機械構造と原理については，ここで記述展開を加えない。 
　図２は本考案の豆乳製造機の水位制御原理を示している。このうち，センサ１とセンシングプレートＢが導通するとき，センサ１はコマンド回路４に対し動作信号を出力して継電器Ｊ１を作動させることで加熱装置１０は作業する。センサ２とセンシングプレートＢが導通するとき，センサ２はコマンド回路３に対し作業コマンドを出力して継電器Ｊ２を作動させることで加熱装置は作業を停止する。 
　当該豆乳製造機の水位制御回路は図３に示す通りである。 
　２２０Ｖの電源は変圧器Ｂの降圧を経て，二極管ＤそれからコンデンサＣ１の作用を経て直流電圧となり，Ｄポイントの引き出し端子はセンシングプレートＢと接続する。Ｄポイント（センシングプレートＢ）がセンサ１又はセンサ２と接続するとき，三極管Ｇ１とＧ２はいずれもオフ状態にあり，継電器Ｊ１は常閉状態でＪ２は常開状態にある。
筒体７内に水を入れてＥ部に到達したとき，Ｄポイントとセンサ１は水の導通作用で接続し，Ｄ→センサ１→抵抗Ｒ１→Ｇ１→Ｆ→Ｍ→Ｄ１→Ｄの回路を形成してコマンド回路４を構成し，Ｇ１が作動されることで継電器Ｊ１を作動させるＤ→Ｊ１→Ｇ１→Ｆ→Ｍ→Ｄ１→Ｄの回路を形成する
  
（２ｄ）　「
」（第７ページ） 
  
（２ｅ）　「
」（第８ページ） 
  
（２ｆ）　「
」（第９ページ） 
  
［甲第４号証］ 
（４ａ）　「
」（第１ページ）　  
（和訳：【要約】 
　本考案は，電子制御装置技術分野に属し，シングルチップコンピュータ，水晶発振器，水位判断回路，あふれ判断回路，自己テスト回路，機能選択スイッチ，モータ制御回路，加熱制御回路，音・光警報と表示回路及び火花消去回路で構成され，各回路の間は電気接続し，安定化電源は，２４Ｖと５Ｖの直流電圧を出力して家庭用多機能マイコン式豆乳機コントローラのために電気を供給する。本考案は，複数の機能を有し，作業が知能的で，安定的且つ信頼性を有する。 
  
（４ｂ）　「
」（第２ページ） 
（和訳：【実用新案登録請求の範囲】 
１．家庭用多機能マイコン式豆乳製造機コントローラであって，シングルチップコンピュータ，水晶発振器，水位判断回路，あふれ判断回路，自己テスト回路，機能選択スイッチ，モータ制御回路，加熱制御回路，音・光警報と表示回路及び火花消去回路で構成され，水晶発振器，水位判断回路，あふれ判断回路，自己テスト回路，機能選択スイッチ，モータ制御回路，加熱制御回路，音・光警報と表示回路は，シングルチップコンピュータと接続し，モータ制御回路と加熱制御回路は，二つの継電器とそれぞれ接続し，二つの継電器は，モータ及び加熱器とそれぞれ接続し，二つの火花消去回路はモータと加熱器を橋渡しし，上述した回路は一つの回路基板に溶接される，ことを特徴とする家庭用多機能マイコン式豆乳製造機コントローラ。 
２．請求項１に記載の家庭用多機能マイコン式豆乳製造機コントローラであって，シングルチップコンピュータは，下記の型番，（１）Ｚ８６Ｅ０４，（２）Ｚ８６Ｅ０３，（３）Ｚ８６Ｅ０８，（４）Ｚ８６Ｃ０４，（５）Ｚ８６Ｃ０３，１５（６）Ｚ８６Ｃ０８のうちの一つを使用することができる，ことを特徴とする家庭用多機能マイコン式豆乳製造機コントローラ。 
３．請求項１に記載の家庭用多機能マイコン式豆乳製造機コントローラであって，水晶発振器は，基本周波数が４−８ＭＨＺのものを使用することができる，ことを特徴とする家庭用多機能マイコン式豆乳製造機コントローラ。
４．請求項１に記載の家庭用多機能マイコン式豆乳製造機コントローラであって，前記自己テスト回路の抵抗Ｒ３の抵抗値は１−２０ＫΩである，ことを特徴とする家庭用多機能マイコン式豆乳製造機コントローラ。 
５．請求項１に記載の家庭用多機能マイコン式豆乳製造機コントローラであって，前記機能選択スイッチはマイクロスイッチである，ことを特徴とする家庭用多機能マイコン式豆乳製造機コントローラ。 
６．請求項１に記載の家庭用多機能マイコン式豆乳製造機コントローラであって，二つの火花消去回路はそれぞれＲ１６及びＣ３，Ｒ１７及びＣ４で構成され，Ｒ１６の抵抗値は１０−１００Ωで，Ｒ１７の抵抗値は５−１５Ωであり，コンデンサＣ３とＣ４の電気容量は０．１−０.４７μｆ／４００Ｖである，こと。」 
  
（４ｃ）　「
」（第３〜４ページ） 
（和訳：家庭用多機能マイコン式豆乳製造機コントローラ 
　本考案は，マイコン付きコントローラに関し，電子制御装置技術分野に属する。 
　既存の豆乳製造機コントローラにはたくさんの欠点がある。１）構造が複雑である。どれもロジックチップで構成され，一部は比較器，カウンタ等のチップが必要で，一部はＧＡＬチップを使用してプログラムし，チップは通常４−５枚使用され，少なくとも２−３枚必要であり，純粋なハードウェアで豆乳製造のプロセスフローを完成させる。部品が多く，構造が複雑なため，豆乳製造機コントローラの故障率が高く，干渉防止能力が極めて低い。２）回路が完全でない。継電器はどれも接点の火花消去回路を有しておらず，継電器の寿命が短く，ＲＣ共振回路の時間軸が正確でなく，調整が難しい。３）機能が単一である。プロセスフローの各セグメントをフレキシブルに変更することができず，決まった豆乳製造プロセスフローの制御を完成することしかできない。 
　本考案は，既存の技術の問題点を解決して，構造が簡単で，動作の信頼性が高く，撹絆のみ，加熱のみ又は撹絆と加熱を同時に行うことを選択できる家庭用多機能マイコン式豆乳製造機コントローラを提供することを目的とする。 
　本考案の目的は，以下の技術手段を通じて完成される。 
　
家庭用多機能マイコン式豆乳製造機コントローラは，シングルチップコンピュータ，水晶発振器，水位判断回路，あふれ判断回路，自己テスト回路，機能選択スイッチ，モータ制御回路，加熱制御回路，音・光警報と表示回路及び火花消去回路で構成され，水晶発振器，水位判断回路，あふれ判断回路，自己テスト回路，機能選択スイッチ，モータ制御回路，加熱制御回路，音・光警報と表示回路は，シングルチップコンピュータと接続し
　シングルチップコンピュータはＺ８６Ｅ０４又は，Ｚ８６Ｅ０３，Ｚ８６Ｅ０８，Ｚ８６Ｃ０４，Ｚ８６Ｃ０３，Ｚ８６Ｃ０８を使用することができ，水晶発振器の基本周波数は４−８ＭＨｚである。水位判断回路，あふれ判断回路及び自己テスト回路はいずれもＲＣ回路で構成され，機能選択スイッチＫ１，Ｋ２，Ｋ３はマイクロスイッチである。モータ制御回路は抵抗Ｒ９，三極管ＢＧ１及び継電器Ｊ１，二極管Ｄ５で構成される。加熱制御回路は抵抗Ｒ１０，三極管ＢＧ２及び継電器Ｊ２，二極管Ｄ６で構成される。ＢＧ１とＢＧ２は９０１３を使用し，Ｊ１とＪ２は４１３０／２４Ｖを使用する。
音警報回路は，抵抗Ｒ１１，三極管ＢＧ３及び受動ブザーＢＰで構成され
　以下は，図面の説明である。 
　図１は，本考案の電気原理説明図である。 
　図２は，本考案の構造ブロック図である。 
　ここで，１はシングルチップコンピュータ，２は水晶発振器，３は水位判断回路，４はあふれ判断回路，５は自己テスト回路，６は機能選択スイッチ，７はモータ制御回路，８は加熱制御回路，９は音・光警報と表示回路，１０は火花消去回路，１１は安定化電源である。 
　以下，図面と実施例を組み合わせて本考案について更に説明する。 
　実施例：図１と図２に示すように，シングルチップコンピュータ，水晶発振器，水位判断回路，あふれ判断回路，自己テスト回路，機能選択スイッチ，モータ制御回路，加熱制御回路，音・光警報と表示回路及び火花消去回路を図１に示される電気接続関係の通りに一つの回路基板に溶接する。シングルチップコンピュータはＺ８６Ｅ０４を使用し，水晶発振器は基本周波数８ＭＨｚを採用し，三つの三極管は９０１３を採用して，二つの継電器は４１３０／２４Ｖを採用し，Ｒ１６とＲ１７の抵抗値はそれぞれ６８Ωと１０Ωで， 
　電源を入れた後，シングルチップコンピュータは水晶発振器が提供する時間軸通りに作業を開始しており，シングルチップコンピュータは機能選択待ちで，撹絆加熱が選択された場合，シングルチップコンピュータは水位を判断し，水位が適切である場合，モータを制御して４回の撹絆を行い，１０秒の間隔をおきながら毎回１５秒撹件すると同時に加熱を行う。豆乳が沸いてあふれる場合，シングルチップコンピュータは加熱管を制御して１０秒聞加熱を停止し，一回目のあふれから５分後に加熱を終了し，同時に音光警報を出す。撹絆のみを選択した場合，加熱せず四回の撹絆のみを行い，撹絆終了後に音光警報を出す。加熱のみを選択した場合，撹絆せず加熱のみを行い，一回目のあふれから５分後に加熱を終了し，同時に音光警報を出す。
作業の途中，水がない又は故障した場合，シングルチップコンピュータは自動的に停止し，同時に音光警報信号を出す
　本考案は，複数の機能を有し，作業が知能的で，安定的且つ信頼性を有する。） 
  
（４ｄ）　「
」（第５ページ） 
  
［甲第６号証］ 
（６ａ）　「
」（第１ページ）　  
（和訳：【要約】 
　粉砕，濾過及び煮込み機能を有する家庭用豆乳製造機であって，豆乳を入れるための内容器はステンレス鋼製であり，電熱装置は内容器の底部の外側に設置され，且つ内容器の内壁には吹きこぼれ防止センサ及び水不足を防止する下水位センサが設置され，豆乳製造機のタイムスイッチ回路には，高速交流モータに隙間周期運転させる，双方向の時間をそれぞれ調整できるマルチ振動回路が設置されることを主な特徴とする。本考案は操作が便利で，洗浄がしやすいというメリットを有し，隙間運転するモータの特徴はモータの作業条件を改善し，豆乳製造機の寿命を大きく高めた。） 
  
（６ｂ）　「
」（第２ページ）　  
（和訳：【実用新案登録請求の範囲】 
１．全自動家庭用豆乳製造機であり，蓋１，殼体２及び台座９で構成される外殼と，内容器４と，高速交流モータ１０及び下軸継手１２で構成される駆動装置と，ネット２３付きのホッパー１９及びその中に取り付けられた粉砕刃２０，２１で構成される粉砕及び分離装置と，電熱管２２と，水位制御装置と，タイムスイッチ回路とを備え，モータ１０は台座９に固定配置され，モータの主軸１１は内容器４の中心孔を通ってその端部において下軸継手１２と接続し，ホッパー１９は内容器４の底部に設置された支持台１７と係合し，ホッパー１９の中にある粉砕刃２０，２１は回転軸１８に固定配置され，該回転軸１８の端部の上軸継手１３はモータ主軸１１の下軸継手１２と噛合い， 
（１）　内容器４はステンレス鋼製であり，内容器４の内壁の上部には一つの吹きこぼれ防止センサ３が設置され，内壁下部の底面に近い所には下水位センサ５が取り付けられ，環状電熱管２２は内容器４の外壁の底部を抱き込み， 
（２）　タイムスイッチ回路のモータ制御回路には，モータ１０を制御して隙間周期運転させ，集積回路ＩＣ４と，充電抵抗Ｒ１４，放電抵抗Ｒ１５，時限コンデンサＣ７，分圧抵抗Ｒ１２，Ｒ１３，二極管Ｄ６，Ｄ７等の周辺部品とで構成された一つの双方向の時間をそれぞれ調整できるマルチ振動回路が設置され，ＩＣ４の３番ピンはモータ１０を制御する逆三極管Ｔ３のベースと接続し，時限ココンデンサＣ７の正極はＩＣ４の１番ピンと６番ピンに接続され，一端が電源の正極と接続するＲ１２は，前段のＩＣ３と接続するＲ１３と直列で連結された後，該Ｒ１２とＲ１３の連結ポイントにおいて充電抵抗Ｒ１４に接続され，且つＲ１４の他端において二極管Ｄ６と正方向に直列で連結された後，Ｃ７の正極に接続され，Ｃ７の放電プロセスは二極管Ｄ７と，ＩＣ４の７番ピンと接続する放電抵抗Ｒ１５を通じて行われ，Ｒ１５はＤ７と反対方向に直列で連結された後，Ｃ７の正極に接続される，ことを特徴とする全自動家庭用豆乳製造機。」 
  
（６ｃ）　「
」（第７ページ）　  
（和訳：水不足防止と吹きこぼれ防止機能はＮＰＮ三極管Ｔ１，Ｔ２，センサ３と５及び一部の周辺回路で完成される。ＮＰＮ三極管Ｔ１のベースはベース抵抗R５を通じて下水位センサ５の電極と接続し，
ステンレス鋼製内容器は限流抵抗R７を通じて＋１２Ｖ端子に接続される。内容器の水位が下水位センサ５の電極より高い場合，Ｔ１は導通され，電熱管２２は継電器Ｊ１を制御して通電させ，電熱管２２は加熱する。反対の場合，内容器の水位が下水位センサ５の電極より低い場合，Ｔ１は切断され
  
（６ｄ）　「
」（第１２ページ） 
  
第５　当審の判断 
１　無効理由１（明確性要件違反）について 
（１）　請求人の主張 
　「本件特許の請求項１には『前記接地電極Ｅ１および前記信号電極Ｅ２のいずれか他方が，前記短駆動軸３，前記漉し網，前記内筒および前記ラウンドバー８のうちのいずれか１つの構成部品に電気的に接続され』との記載があるが，従来技術における豆乳，水豆腐，豆腐製造装置では『ラウンドバー』という構成部材はなく，また，本件特許の明細書等においても『ラウンドバー』の構造，機能等について何ら説明がない。したがって，当業者は，本件特許等の記載および出願時の技術常識を考慮しても，『ラウンドバー』の技術的意味を理解することができない。したがって，特許請求の範囲の記載において特許を受けようとする発明が明確でないので，同法第３６条第６項第２号に規定する要件を満たしていない。」（審判請求書９ページ下から３行〜１０ページ７行）と主張している。 
  
（２）　判断 
ア　本件特許明細書の発明の詳細な説明及び図面には，「ラウンドバー」について，以下の事項が記載されている。 
  
（ア）　「【００１１】 
【課題を解決するための手段】 
 ・・・前記短駆動軸の端部に連結されている粉砕刃と，漉し網と，ラウンドバー8と，・・・前記接地電極E1および前記信号電極E2のいずれか他方が，前記短駆動軸3，前記漉し網，前記内筒および前記ラウンドバー8のうちのいずれか１つの構成部品に電気的に接続され，・・・」 
  
（イ）　「【００２２】 
 ・・・図6は接地電極E1及び信号電極E2がヒータ６とラウンドバー８に電気的に接続されている形態を各々示している。」 
  
（ウ）　「【図面の簡単な説明】 
 ・・・ 
【図６】本発明の実施の形態にかかる家庭用の豆乳，水豆腐，豆腐製造装置の水切れ感知警報装置の電極がヒータとラウンドバーとに接続されている構成を示す断面図である。」 
  
（エ）　「
」（【図６】） 
 　 
イ　これらの事項を総合してみると，「ラウンドバー８」は，「信号電極Ｅ２」に接続されて，豆腐製造装置の内部に配置されているものと認めることができるが，「ラウンドバー８」自体がどのような構造・機能を有するものとして豆腐製造装置に配置されているものであるのかは明らかでない。 
　また，「ラウンドバー」という用語自体が，通常用いられている技術用語とも認めることもできず，「ラウンドバー」を「ラウンド」と「バー」との合成語としてみると，「ラウンド」が「丸いさま。円形の。」（広辞苑第六版）を意味し，「バー」が「棒。横木。」（ 広辞苑第六版）を意味することから，せいぜい「丸い棒」と理解し得るとしても，特許請求の範囲における発明特定事項として，「ラウンドバー」が，豆乳，水豆腐，豆腐製造装置において，どのような機能を有するものであるのか特定できないことから，特許を受けようとする発明が不明確であることに変わりはない。 
  
ウ　以上のとおり，本件発明に係る特許請求の範囲の記載は，明確でなく，特許法第３６条第６項第２号に規定する要件を満たしていない。 
  
２　無効理由２（進歩性欠如）（１）について 
（１）　本件発明と甲１発明との対比・判断 
　本件発明と甲１発明とを対比すると，各文言の意味，機能，または作用等からみて，後者の「スマート自動豆乳製造機」，「ハウジング（２）」，「容器体（１１）」，「モータＤＪ（１５）」，「伝動軸（６）」，「粉砕刃（７）」，「フィルタカバー（９）」，及び「電熱管ＤＹ（１６）」は，それぞれ前者の「家庭用の豆乳，水豆腐，豆腐製造装置」，「蓋」，「本体」，「駆動モータ」，「短駆動軸３」，「粉砕刃」，「漉し網」及び「ヒータ」に相当する。 
　また，甲第１号証の図１（上記記載事項（１ｄ））から，後者の「容器体（１１）」の上部には「ハウジング（２）」が設けられ，「ハウジング（２）」の内部に設置された「モータＤＪ（１５）」は，電源が印加されると回転駆動力を発生することは明らかであるので，後者は，前者の「上部に蓋が設けられた本体と，前記蓋の内部に設置されており，電源が印加されると回転動力を発生させる駆動モータ」を備えた態様を有している。 
　後者の「伝動軸（６）」は，「モータＤＪ（１５）」の回転動力を「粉砕刃（７）」に伝えるよう，その端部に「粉砕刃（７）」連結しているので，後者は，前者の「前記駆動モータの回転動力を伝達するための短駆動軸3と，前記短駆動軸の端部に連結されている粉砕刃」を備えた態様を有している。 
　また，後者の「容器体（１１）」は，同じく図１からみて，胴体を備えたものといえ，また，「容器体（１１）」の内周部分は内筒の形態を有しており，電熱管ＤＹ（１６）は，胴体の内容物を加熱していることも，その配置から明らかである。そうすると，後者は，前者の「前記胴体の内容物を加熱するヒータ6と，前記本体の内周に設けられた内筒とを含んでなる」態様を有している。 
　後者の「電熱管（１６）ケースは共通アース端であ」り，「伝動軸（６）はハウジング（２）と絶縁的に接続して水位検出プローブを形成」していることから，「電熱管（１６）」と「伝動軸（６）」は，前者の「前記本体内の構成部品中から選択された2つ」に相当し，「電熱管（１６）」は，共通アース端とされていることから，接地電極に接続され，「伝動軸（６）」は，信号電極側に接続されることは技術的に明らかである。そうすると，後者は，前者の「前記本体内の構成部品中から選択された2つのそれぞれに接続される接地電極E1及び信号電極E2」との態様を有しており，同時に前者の「前記接地電極E1および前記信号電極E2のいずれか一方が前記ヒータ6に電気的に接続され， 
　前記接地電極E1および前記信号電極E2のいずれか他方が，前記短駆動軸3，前記漉し網，前記内筒および前記ラウンドバー8のうちのいずれか１つの構成部品に電気的に接続され」た態様も併せて有している。 
　さらに，後者の「回路基板（３）」は，同じく図３（上記記載事項（１ｆ））の回路図からみて，制御信号を出力するとともに，信号が送られるコントローラを有していることは明らかである。 
　また，後者の「スマート自動豆乳製造機の複合検出装置」は，「伝動軸（６）はハウジング（２）と絶縁的に接続して水位検出プローブを形成し，回路基板（３）のＳ端に接続し，直流通路を形成し，共通アース端と水位検出入力回路を形成」するものであるから，前者の「水切れ感知警報装置」とは，「水切れ感知装置」との限りで一致する。 
  
　そこで本件発明の用語を用いて表現すると，本件発明は，甲１発明と以下の一致点及び相違点を有する。 
 　　 
（一致点） 
「上部に蓋が設けられた本体と，前記蓋の内部に設置されており，電源が印加されると回転動力を発生させる駆動モータと，前記駆動モータの回転動力を伝達するための短駆動軸3と，前記短駆動軸の端部に連結されている粉砕刃と，漉し網と，前記胴体の内容物を加熱するヒータ6と，前記本体の内周に設けられた内筒と 
を含んでなる家庭用の豆乳，水豆腐，豆腐製造装置において， 
　前記本体内の構成部品中から選択された2つのそれぞれに接続される接地電極E1及び信号電極E2と， 
を含み， 
　前記接地電極E1および前記信号電極E2のいずれか一方が前記ヒータ6に電気的に接続され， 
　前記接地電極E1および前記信号電極E2のいずれか他方が，前記短駆動軸3，前記漉し網，前記内筒および前記ラウンドバー8のうちのいずれか１つの構成部品に電気的に接続される， 
　家庭用の豆乳，水豆腐，豆腐製造装置の水切れ感知装置。」 
 　 
（相違点１） 
　本件発明は，「ラウンドバー8」を含んでいるのに対して，甲１発明は，そのような特定はなされていない点。 
  
（相違点２） 
　コントローラについて，本件発明は，「信号電極E2に接続された第１の抵抗R24および第１のスイッチングトランジスタQ9と， 
　前記第１のスイッチングトランジスタQ9に接続されており，該スイッチングトランジスタQ9によって前記本体内に必要とされる水がないことを感知した場合，これを警報するための制御信号を出力するコントローラI.C1」を備えているのに対して，甲１発明は，そのような特定はなされていない点。 
 
（相違点３） 
　「水切れ感知装置」について，本件発明は，「前記コントローラI.C1に接続された第２の抵抗R21および第２のスイッチングトランジスタQ5と，
　前記第２のスイッチングトランジスタQ5に接続され，該スイッチングトランジスタQ5の駆動により警報音を出力するブザーBUZとを含み」，「前記第１の抵抗R24および前記第１のスイッチングトランジスタQ9は，前記信号電極E2を介して入力された信号を，前記コントローラI.C1に送り，該コントローラI.C1は前記第２の抵抗R21および前記第２のスイッチングトランジスタQ5を使用して前記ブザーBUZを動作させ」て「水切れ感知警報装置」をなしているのに対して，甲１発明は，そのような特定はなされていない点。 
  
　そこで，上記各相違点について以下に検討する。 
  
（相違点１について）  
　本件発明の「ラウンドバー」は，家庭用の豆乳，水豆腐，豆腐製造装置おおける「本体の内部に水がない場合には製造装置が作動できないようにすることにより，使用者が水を入れないままに作動させた場合に，製造装置が損傷されることを防止する」（【００１０】）という課題を解決する上で，「前記接地電極E1および前記信号電極E2のいずれか他方」が「短駆動軸3，前記漉し網，前記内筒」に「電気的に接続される」場合は，必須の構成ではなく，上記相違点１は，実質的な相違点といえない。 
　また，実質的な相違点だとしても，当業者が容易に想到し得た程度のものである。 
  
（相違点２について） 
　甲第２号証は，豆乳製造機に関するものであって，「筒体７内に水を入れてＥ部に到達したとき，Ｄポイントとセンサ１は水の導通作用で接続し，Ｄ→センサ１→抵抗Ｒ１→Ｇ１→Ｆ→Ｍ→Ｄ１→Ｄの回路を形成してコマンド回路４を構成し，Ｇ１が作動されることで継電器Ｊ１を作動させるＤ→Ｊ１→Ｇ１→Ｆ→Ｍ→Ｄ１→Ｄの回路を形成する」（上記記載事項（２ｃ））ことが記載されている。 
　そして，甲第２号証の「センサ１」，「抵抗Ｒ１」及び「トランジスタＧ１」は，各文言の意味，機能，または作用等からみて，それぞれ本件発明の「信号電極E2」，「抵抗R24」及び「トランジスタQ9」に相当し，これらにより指令回路がなされているといえる。 
　そうすると，甲第２号証には，実質的に，本件発明の「信号電極E2に接続された第１の抵抗R24および第１のスイッチングトランジスタQ9」の態様が記載されている。 
　また，甲第４号証には，「作業の途中，水がない又は故障した場合，シングルチップコンピュータは自動的に停止し，同時に音光警報信号を出す。」（上記記載事項（４ｃ））記載され，甲第４号証のマイコン式豆乳製造機コントローラが水がないという信号を受け取るとブザーを動作させて警報を行う態様を開示しているといえる。 
　そうすると，甲１発明において，「信号電極E2」に接続される「伝動軸（６）」からの信号を甲第２号証に記載のある上記事項を参考に，本件発明の「信号電極E2に接続された第１の抵抗R24および第１のスイッチングトランジスタQ9」との構成とし，また，甲第４号証に上記記載事項の示唆のもと，指令回路をなすトランジスタの信号により「容器体１１」内に水があるか否か検出し，水がない状況において，コントローラによって警報のための出力信号を出力することは，当業者が容易になし得たことである。 
　また，甲第６号証は，全自動家庭用豆乳製造機に関するものであって，「ステンレス鋼製内容器は限流抵抗R7を通じて＋１２Ｖ端子に接続される。内容器の水位が下水位センサ５の電極より高い場合，Ｔ１は導通され，電熱管２２は継電器Ｊ１を制御して通電させ，電熱管２２は加熱する。反対の場合，内容器の水位が下水位センサ５の電極より低い場合，Ｔ１は切断され」（上記記載事項（６ｃ））と記載され，甲第６号証の図３（上記記載事項（６ｄ））を併せてみると，「ステンレス鋼製内容器４」，「センサ５」，「抵抗Ｒ５」及び「ＮＰＮ三極管Ｔ１」を備えた制御信号回路が記載されているといえる。そして，甲第６号証における「センサ５」，「抵抗Ｒ５」及び「ＮＰＮ三極管Ｔ１」は，各文言の意味，機能，または作用等からみて，それぞれ本件発明の「信号電極E2」，「第１の抵抗R24」及び「第１のスイッチングトランジスタQ9」に相当するので，甲第６号証においても，本件発明の「信号電極E2に接続された第１の抵抗R24および第１のスイッチングトランジスタQ9」の態様が記載されている。 
　そうすると，甲１発明において，「信号電極E2」に相当する「伝動軸（６）」からの信号を甲第６号証に記載のある上記事項を参考に本件発明の「信号電極E2に接続された第１の抵抗R24および第１のスイッチングトランジスタQ9」との構成とし，また，甲第４号証の上記記載事項の示唆のもと，指令回路をなすトランジスタの信号により「容器体１１」内に水があるか否かを検出し，水がない状況において，コントローラによって警報のための出力信号を出力することは，当業者が容易になし得たことである。 
　よって，甲１発明において，本件発明の相違点２に係る構成とすることは，当業者が容易になし得たことである。 
  
（相違点３について） 
　甲第４号証は，家庭用多機能マイコン式豆乳製造装置コントローラに関するものであって，「家庭用多機能マイコン式豆乳製造機コントローラは，シングルチップコンピュータ，水晶発振器，水位判断回路，あふれ判断回路，自己テスト回路，機能選択スイッチ，モータ制御回路，加熱制御回路，音・光警報と表示回路及び火花消去回路で構成され，水晶発振器，水位判断回路，あふれ判断回路，自己テスト回路，機能選択スイッチ，モータ制御回路，加熱制御回路，音・光警報と表示回路は，シングルチップコンピュータと接続し」，「音警報回路は，抵抗Ｒ１１，三極管ＢＧ３及び受動ブザーＢＰで構成され」ると記載されている（上記記載事項（４ｃ））。 
　そして，甲第４号証の「シングルチップコンピュータ」，「抵抗Ｒ１１」，「三極管ＢＧ３」及び「受動ブザーＢＰ」は，各文言の意味，機能，または作用等からみて，それぞれ本件発明の「コントローラI.C1」，「第２の抵抗R21」，「第２のスイッチングトランジスタQ5」及び「ブザーBUZ」に相当する。 
　そうすると，甲第４号証には，本件発明の「前記コントローラI.C1に接続された第２の抵抗R21および第２のスイッチングトランジスタQ5と， 
　前記第２のスイッチングトランジスタQ5に接続され，該スイッチングトランジスタQ5の駆動により警報音を出力するブザーBUZとを含」んだ態様が記載されている。 
　そして，甲第４号証には，「作業の途中，水がない又は故障した場合，シングルチップコンピュータは自動的に停止し，同時に音光警報信号を出す」との記載がなされ（上記記載事項（４ｃ）），このことから，甲第４号証には，コントローラが水がないとの信号を受け取った後，ブザーを作動させる事項が記載されているといえる。 
　よって，甲１発明の水位検出において，「前記第１の抵抗R24および前記第１のスイッチングトランジスタQ9は，前記信号電極E2を介して入力された信号を，前記コントローラI.C1に送り，該コントローラI.C1は前記第２の抵抗R21および前記第２のスイッチングトランジスタQ5を使用して前記ブザーBUZを動作させ」て「水切れ感知警報装置」とすることは，当業者が容易になし得たことである。 
　したがって，甲１発明において，本件発明の相違点３に係る構成とすることは，当業者が容易になし得たことである。 
  
（２） 以上のとおりであるから，本件発明は，甲第１号証に記載された発明，甲第２号証及び甲第４号証に記載された事項，又は，甲第１号証に記載された発明，甲第６号証及び甲第４号証に記載された事項に基づき当業者が容易に発明できたものであるから，特許法第２９条第２項の規定により特許を受けることができないものである。 
  
第６　むすび 
　したがって，本件発明についての特許は，特許法第３６条第６項第２号に規定する要件を満たしていない特許出願に対してされ，また，同法第２９条第２項の規定に違反してされたものであり，同法第１２３条第１項第２号及び第４号に該当し，無効とすべきである。 
　審判に関する費用については，特許法第１６９条２項の規定で準用する民事訴訟法第６１条の規定により，被請求人が負担するものとする。 
　よって，結論のとおり審決する。